(57)【特許請求の範囲】
【請求項１】
内部に食品を収容する単一の部屋を有する容器本体の開口フランジ部に対して、当該フランジ部に沿う密封予定部において熱接着されて、当該容器本体を密封する食品容器用蓋材であって、
当該食品容器用蓋材は、周縁に隣接して形成された二つの摘まみ突片を備えており、前記二つの摘まみ突片間に形成される谷部の底部近傍を始点とし、前記二つの摘まみ突片を備えた周縁以外の周縁方向に延びる開口部を設けるための開封手段が前記蓋材の表層側から少なくとも前記蓋材の最内層を除いて設けられ、
前記開封手段の終点が前記密封予定部の内縁より容器内側にあると共に、前記開封手段の前記終点からの略延長線の前記終点近傍に前記略延長線を遮るように開封停止手段が前記蓋材の表層側から少なくとも前記蓋材の最内層を除いて設けられていることを特徴とする、食品容器用蓋材。
【請求項２】
内部に食品を収容する単一の部屋を有する容器本体の開口フランジ部に対して、当該フランジ部に沿う密封予定部において熱接着されて、当該容器本体を密封する食品容器用蓋材であって、
当該食品容器用蓋材は、周縁に形成された摘まみ突片を備えており、前記摘まみ突片のいずれか一方の裾部を始点とし、前記摘まみ突片を備えた周縁以外の周縁方向に延びる開口部を設けるための開封手段が前記蓋材の表層側から少なくとも前記蓋材の最内層を除いて設けられ、
前記開封手段の終点が前記密封予定部の内縁より容器内側にあると共に、前記開封手段の前記終点からの略延長線の前記終点近傍に前記略延長線を遮るように開封停止手段が前記蓋材の表層側から少なくとも前記蓋材の最内層を除いて設けられていることを特徴とする、食品容器用蓋材。
【請求項３】
前記開封手段は、導入部と誘導部とからなり、
前記導入部は、前記谷部の底部近傍または裾部を始点として前記密封予定部を跨ぐ二条の切刃で形成され、前記誘導部は、一列に配列された略ハの字形状の切刃で形成され、
前記導入部の前記二条の切刃は、その延長線が前記略ハの字形状の切刃の末広がり部内に収まると共に末広がり部と交わるように形成されており、前記誘導部の前記略ハの字形状の切刃はいずれもその頭部の延長線が隣接する前記略ハの字形状の切刃の末広がり部内に収まると共に末広がり部と交わるように形成されていることを特徴とする、請求項１または２記載の食品容器用蓋材。
【請求項４】
前記二つの摘まみ突片間に形成される前記谷部の前記底部が前記密封予定部の外縁より外側にあることを特徴とする請求項１記載の食品容器用蓋材。
【請求項５】
前記摘まみ突片の前記裾部が前記密封予定部の外縁より外側にあることを特徴とする請求項２記載の食品容器用蓋材。
【請求項６】
前記開封手段は、当該食品容器用蓋材を横断して、その終点を前記密封予定部の内縁近傍位置に有しており、
前記開封停止手段は、当該開封手段の終点と密封予定部の内縁との間の領域に位置していることを特徴とする、請求項１〜５のいずれか１つに記載の食品容器用蓋材。
【発明の詳細な説明】
【０００１】
【発明の属する技術分野】
本発明は、食品等の内容物が収納された容器に用いられる蓋材に関し、さらに詳しくは、容器内からの取り出しや容器内への取り入れのための適当な大きさの開口部を容易に形成することができる蓋材に関するものである。
【０００２】
【従来の技術】
従来より、食品等の内容物を各種形状の容器本体に収納し、蓋材で密封した形態の容器が多数市場に出回っている。具体的に例示するならば、たとえば、プリンやゼリー、あるいは、清酒やコーヒー等の飲料などの食品を合成樹脂製ないし紙製の成形容器本体に収納し、これを蓋材で密封したものなどを代表事例として挙げることができる。これらの密封手段としてはいずれも、成形容器本体と蓋材とは熱接着することにより密封され、飲食する時まで、漏れの発生や異物の混入がないように、また、内容物が品質劣化を起こさないように安全に保持されている。
【０００３】
一般的にこのような容器食品は蓋材を全部剥がし取って内容物を一度に全部飲食するように構成されており、一部を飲食して残りを暫時放置する場合には、たとえば、飲食者自身が蓋材を全部剥がし取ることなく慎重に一部を剥がして飲食し、その後、再度蓋材で覆うようにして塵埃等の混入を防止して残りを放置しなければならず、飲食者にとっては結構手間なものであった。また、一部飲食して、残りを暫時放置する場合を想定した容器食品などは、蓋材とは別に、たとえば、合成樹脂製のキャップ等を予め容器に備えた構成となっていて、残りを暫時放置する場合にはこのキャップを嵌めて塵埃等の混入を防止して放置するようになっているが、キャップ費用が必要な上に、一度に全部飲食する場合には、このキャップは無駄になるといった問題があった。
【０００４】
【発明が解決しようとする課題】
そこで本発明は、上記問題点に鑑みてなされたものであり、その目的とするところは、一部を飲食して残りを暫時放置する場合を想定した安価な蓋材を提供することにある。
【０００５】
【課題を解決するための手段】
本発明者は、上記目的を達成するために、請求項１記載の発明は、周縁に隣接して形成された二つの摘まみ突片を備えた蓋材において、前記二つの摘まみ突片間に形成される谷部の底部を始点とし、前記二つの摘まみ突片を備えた周縁以外の周縁方向に延びる開口部を設けるための開封手段が少なくとも前記蓋材の最内層を除いて設けられ、前記開封手段の終点が容器としたときの密封部の内縁より容器内側にあると共に、前記開封手段の前記終点からの略延長線の前記終点近傍に前記略延長線を遮るように開封停止手段が少なくとも前記蓋材の最内層を除いて設けられていることを特徴とするものである。
【０００６】
また、請求項２記載の発明は、周縁に形成された摘まみ突片を備えた蓋材において、前記摘まみ突片のいずれか一方の裾部を始点とし、前記摘まみ突片を備えた周縁以外の周縁方向に延びる開口部を設けるための開封手段が前記蓋材の表層側から少なくとも前記蓋材の最内層を除いて設けられ、前記開封手段の終点が容器としたときの密封部の内縁より容器内側にあると共に、前記開封手段の前記終点からの略延長線の前記終点近傍に前記略延長線を遮るように開封停止手段が前記蓋材の表層側から少なくとも前記蓋材の最内層を除いて設けられていることを特徴とするものである。
【０００７】
請求項１、２のいずれかの構成とすることにより、まず、内容物を確実に密封状態に保持することができる。さらに、いずれか一方の摘まみ突片を手指等で摘んで捲り上げることにより、蓋材が開封手段に沿って開封停止手段まで切断されると共に密封部が剥離されて所定の開口部が形成される。捲り上げられた蓋材は開封停止手段により切断が停止されるために、容器から剥がれることがなく、容器に止まった状態に保持され、再度開口部を覆うことができて塵埃等の混入を防止することができる。また、必要に応じて他方の摘まみ突片を手指等で摘んで捲り上げることにより容器を全部開口することができる。
【０００８】
また、請求項３記載の発明は、請求項１、２のいずれかに記載の蓋材において、前記開封停止手段が容器としたときの密封部の内縁近傍にあることを特徴とするものである。このように構成することにより、捲り上げた蓋材が自重で容器の外側に垂れるために、手指等で捲り上げた蓋材を保持することなく確実に開口部を確保することができる。
【０００９】
また、請求項４記載の発明は、請求項１記載の蓋材において、前記二つの摘まみ突片間に形成される前記谷部の前記底部が容器としたときの密封部の外縁より外側にあることを特徴とするものである。
【００１０】
また、請求項５記載の発明は、請求項２記載の蓋材において、前記摘まみ突片の前記裾部が容器としたときの密封部の外縁より外側にあることを特徴とするものである。
【００１１】
請求項４、５のいずれかの構成とすることにより、開封手段の始点から確実に開封することができる。
【００１２】
【発明の実施の形態】
上記の本発明について、具体的な実施形態を図面等を用いて以下に更に詳しく説明する。
図１は本発明にかかる蓋材を用いた食品容器の一実施例を示す概略斜視図、図２は図１の食品容器の使用状態を示す説明図、図３は本発明にかかる蓋材の第１の実施形態を示す平面図、図４は本発明にかかる蓋材の第２の実施形態を示す要部拡大平面図、図中の１，１’，11，111 は蓋材、２は開封手段、３は開封停止手段、４は密封予定部、21，22，23，31は切刃、50は食品容器、51は容器本体、52はフランジ部、53は摘まみ突片、54，54’は谷部、55，55’は底部、Ａは始点、Ｂは終点、Ｃは開口部、Ｄは導入部、Ｅは誘導部をそれぞれ示す。
【００１３】
図１は本発明にかかる蓋材を用いた食品容器の一実施例を示す概略斜視図であって、食品容器50は、一方に円形状の開口部を有する断面略逆台形状の容器本体51と、該容器本体51の開口部とほぼ同じ外形を有する蓋材１とからなり、前記容器本体51の開口縁部に設けられたフランジ部52と前記蓋材１とを密封部（図示せず）で剥離可能に熱接着した構成からなっている。そして、前記蓋材１にはその一つの周縁から隣接して外方に突出する二つの摘まみ突片53、53が形成され、前記二つの摘まみ突片53、53によりその間に形成される谷部54の底部55を始点Ａとし、前記二つの摘まみ突片53、53が形成された周縁と対向する周縁方向に延びる開封手段２が少なくとも前記蓋材１の最内層を除いて設けられ、前記開封手段２の終点Ｂが前記密封部（図示せず）の内縁（図示せず）より容器内側に位置するように形成されると共に、前記開封手段２の前記終点Ｂからの略延長線の前記終点Ｂ近傍に前記略延長線を遮るように開封停止手段３が少なくとも前記蓋材１の最内層を除いて設けられている。このように構成することにより、内容物は確実に密封状態で食品容器50内に保持される。
【００１４】
図２は図１の食品容器の使用状態を示す説明図であって、まず図１の食品容器50の蓋材１に形成された一方の摘まみ突片53（図１上で手前側の摘まみ突片53）を手指等で摘んで捲り上げることにより、蓋材１’が開封手段２の始点Ａから前記開封手段２に沿って開封停止手段３まで切断されると共に密封部（図示せず）が剥離されて図２に示すような所定の開口部Ｃが形成されると共に、捲り上げられた蓋材１’は開封停止手段３により切断が停止されるために、食品容器50から剥がれることがなく、蓋材１’の自重により容器に垂れ下がった状態で保持されて、開口部Ｃが確実に確保される。その後に、内容物（図示せず）を所望量飲食し、残った内容物（図示せず）を暫時放置する場合には、蓋材１’で図１に示すような状態に再度開口部Ｃを覆うができるために、塵埃等の混入を防止することができる。
【００１５】
図３は本発明にかかる蓋材の第１の実施形態を示す平面図であって、蓋材11は図１で説明したように、その一つの周縁から隣接して外方に突出する二つの摘まみ突片53、53が形成され、前記二つの摘まみ突片53、53によりその間に形成される略Ｖ字形状の谷部54の底部55近傍を始点Ａとし、前記二つの摘まみ突片53、53が形成された周縁と対向する周縁方向に延びる開封手段２が前記蓋材11の表層側から少なくとも前記蓋材11の最内層を除いて設けられ、前記開封手段２の終点Ｂが密封予定部４の内縁より容器内側に位置するように形成されると共に、前記開封手段２の前記終点Ｂからの略延長線の前記終点Ｂ近傍に前記略延長線を遮るように開封停止手段３が前記蓋材11の表層側から少なくとも前記蓋材11の最内層を除いて設けられている。前記開封手段２は導入部Ｄと誘導部Ｅとからなり、前記導入部Ｄは前記略Ｖ字形状の谷部54の底部55近傍を始点Ａとして前記密封予定部４を跨ぐ二条の切刃21、21で形成され、前記誘導部Ｅは規則正しく一列縦隊に配列された略ハの字形状の切刃23で形成され、前記導入部Ｄの前記二条の切刃21、21はその延長線が前記略ハの字形状の切刃22の末広がり部内に収まると共に末広がり部と交わるように形成されている。また、前記誘導部Ｅの前記略ハの字形状の切刃22はいずれもその頭部（図３上略ハの字形状の切刃22の右側端部）の延長線が隣接する前記略ハの字形状の切刃22（図３上右側に位置する略ハの字形状の切刃22）の末広がり部内に収まると共に末広がり部と交わるように形成されている。そして、前記開封手段２の終点Ｂから前記開封手段２の略延長線の前記終点Ｂ近傍に前記略延長線を遮るように前記開封手段２側を内側とする半円形状の切刃31からなる開封停止手段３が設けられている。
【００１６】
このように構成された蓋材11は、二つの摘まみ突片53、53のいずれか一方の摘まみ突片53を手指等で摘んで捲り上げることにより、まず前記導入部Ｄの二条の切刃21、21のいずれかが切断し、この切断が前記密封予定部４を越え、前記誘導部Ｅの最初の略ハの字形状の切刃22に達し、さらに連続して隣接する略ハの字形状の切刃22に次から次へと伝播し、最終的に半円形状の切刃31からなる前記開封停止手段３で切断の伝播が止められて図２に示すような開口部Ｃが形成される。なお、前記開封手段２の終点Ｂ、および、該終点近傍に形成した前記開封停止手段３は、可能な範囲で前記密封予定部４近傍に設ける方が好ましい。この理由としては、図２で示したように開口部Ｃを設けるために捲り上げた蓋材１’が自重で容器50から垂れ下がった状態で保持されて、開口部Ｃが確実に確保されるためである。
【００１７】
図４は本発明にかかる蓋材の第２の実施形態を示す要部拡大平面図であって、蓋材111 は図３に示した第１の実施形態の略Ｖ字形状の谷部54の底部55が略逆台形状の谷部54’の底部55’からなる以外は第１の実施形態と同じであり説明は省略するが、このように略逆台形状の谷部54’の底部55’とすることにより、第１の実施形態の略Ｖ字形状の谷部54の底部55よりも底部が広く構成されるために、底部と前記開封手段２との見当精度に余裕を持たせることができるために、生産性が向上する。
【００１８】
次に、本発明にかかる蓋材を用いた食品容器50の容器本体51について説明する。容器本体51としては、各種食品等の内容物を収納するために用いられている周知のものを挙げることができ、たとえば、ポリスチレンペーパー、ハイインパクトポリスチレンシート、ポリプロピレンシート、ポリアミドとポリエチレンないしポリプロピレンとの積層シート、ポリエチレンとポリプロピレンとの積層シート等を周知の真空成形法や圧空成形法で成形して容器としたもの、ポリプロピレン、ポリスチレン、ポリエステル等の射出成形用樹脂を射出成形して容器としたもの、あるいは、各種の射出成形用樹脂を多層で射出成形して、たとえば、酸素ガスバリアー性等をもたせたもの、あるいは、発泡スチレン製容器、紙製容器、あるいは、これらからなる二重容器などである。上記に例示したような容器本体51を内容物、保存方法、保存期間、使用方法等を考慮して適宜選択して用いることができる。
【００１９】
次に、本発明にかかる蓋材について説明する。蓋材に用いる材料としては、紙、合成紙、各種の金属箔、各種の合成樹脂ないしこれらをシート化したもの、あるいは、上記シート化したものにアルミニウムや酸化アルミニウム、酸化珪素、酸化インジウム、酸化錫、酸化ジルコニウム等の無機物の蒸着を施したもの、あるいは、上記シート化したものにポリ塩化ビニリデンを塗工したものなどを用いることができると共に、これらのものを適宜組み合わせて用いることができるが、通常、食品等の内容物を保護する等の観点から、蓋材と前記容器本体51とは熱接着により密封されると共に、食品等の内容物を飲食する際に、容易に蓋材を容器本体51から剥離できるように構成される。そのために、容器本体51に対して易接着性となる熱接着性樹脂層が蓋材の最内層に形成される。前記易接着性を有する熱接着性樹脂層としては、容器本体51を構成する材料により適宜選択して用いる必要があるが、例示するとすれは、たとえば、ポリエチレン、ポリプロピレン、エチレン−プロピレン共重合体、エチレン−酢酸ビニル共重合体、塩素化ポリエチレン、塩素化ポリプロピレン、アイオノマー樹脂、塩化ビニル−酢酸ビニル共重合体、アクリル酸樹脂、メタクリル酸樹脂、エチレン−アクリル酸共重合体、エチレン−メタクリル酸共重合体、エチレン−アクリル酸エステル共重合体、エチレン−メタクリル酸エステル共重合体、ポリエステル樹脂等の単体ないし複合体を挙げることができる。
【００２０】
【実施例】
次に、上記の本発明について、以下に実施例を挙げて更に詳しく説明する。
実施例１
坪量79.1g/m2の両面コート紙の一方の面に、グラビア版（版深：40μｍ）を用い、酸化チタンを使用した白インキで白色のベタ印刷を行い、該白ベタ印刷上に絵柄印刷を行った。その後、前記両面コート紙の他方の面に、グラビア版（版深：35μｍ）を用い、カーボンブラックを使用した墨インキで墨ベタ印刷を行うと共に、該墨ベタ印刷上にグラビア版（版深：40μｍ）を用い、酸化チタンを使用した白インキで白色のベタ印刷を２回刷りした。その後、２回刷りした白色のベタ印刷面全面にウレタン系のアンカーコート剤を塗工して、該アンカーコート剤塗工面にＴダイ押出機で低密度ポリエチレンを20μｍ押し出し塗工して中間積層体を作製し、該中間積層体にミシン目加工機で図３に示す開封手段としての二条の切刃と一列縦隊に配列した略ハの字形状の切刃と、開封停止手段としての半円形状の切刃とを形成し、その後に前記低密度ポリエチレン塗工面にＴダイ押出機でエチレン−アクリル酸共重合体を25μｍ押し出し塗工して熱接着性樹脂層を形成した最終積層体を作製した。この最終積層体を図４に示す形状に型抜きして本発明の蓋材を得た。
【００２１】
実施例２
15μｍの片面コロナ放電処理を施した２軸延伸ナイロンフィルムのコロナ放電処理面に絵柄印刷を施した印刷シートを作製し、該印刷シートの絵柄印刷面と、別途用意した15μｍの片面コロナ放電処理を施した２軸延伸ナイロンフィルムの非コロナ放電処理面とを周知のドライラミネーション法で積層して中間積層体を作製し、該中間積層体の２軸延伸ナイロンフィルムのコロナ放電処理面と50μｍの片面コロナ放電処理した易接着性を有するシート〔東セロ製:CMPS-013C〕のコロナ放電処理面とを周知のドライラミネーション法で積層して最終積層体を作製した。この最終積層体にミシン目加工機で２軸延伸ナイロンフィルム側から図３に示す開封手段としての二条の切刃と一列縦隊に配列した略ハの字形状の切刃と、開封停止手段としての半円形状の切刃とを前記易接着性を有するシート〔東セロ製:CMPS-013C〕を貫通しないように形成し、その後に図４に示す形状に型抜きして本発明の蓋材を得た。
【００２２】
まず、上記で作製した実施例１の蓋材で味付け油揚げ麺を収納した発泡ポリスチレン製容器本体を熱接着してテストに供する麺入り容器を作製した。この麺入り容器を図２で説明した通りに蓋材を手指で捲り上げた。蓋材に形成した開封手段に沿ってスムーズに切断できると共に、開封停止手段により切断が停止され、開口部が形成されると共に、捲り上げた蓋材はその自重により容器に垂れ下がった状態で保持されて、開口部が確実に確保された。そして、前記開口部から熱湯を所要量注湯した後に、捲り上げた蓋材を開口部に被せて数分間放置した。開口部に被せた前記捲り上げた蓋材は湯気により開口部が著しく開くことなく、十分な蒸らし効果を得ることができた。
【００２３】
次に、上記で作製した実施例２の蓋材でゼリーを収納したポリプロピレン製の射出形成容器を熱接着してテストに供するゼリー入り容器を作製した。このゼリー入り容器を図２で説明した通りに蓋材を手指で捲り上げた。蓋材に形成した開封手段に沿ってスムーズに切断できると共に、開封停止手段により切断が停止され、開口部が形成されると共に、捲り上げた蓋材はその自重により容器に垂れ下がった状態で保持されて、開口部が確実に確保された。ゼリーを一部食した後に、暫時放置（保存）するために、捲り上げた蓋材を開口部に被せたが、開口部を十分に覆うことができ、塵埃等の混入を暫時防止するには十分な効果を得ることができた。
【００２４】
【発明の効果】
本発明は、今まで縷々説明してきたように、一部を飲食して残りを暫時放置する場合を想定した安価な蓋材を提供できるという効果を奏するものである。また、本発明の蓋材は、実施例１の蓋材の使用方法で説明したような使い方にも適応することができるという優れた効果を奏するものである。
【図面の簡単な説明】
【図１】本発明にかかる蓋材を用いた食品容器の一実施例を示す概略斜視図である。
【図２】図１の食品容器の使用状態を示す説明図である。
【図３】本発明にかかる蓋材の第１の実施形態を示す平面図である。
【図４】本発明にかかる蓋材の第２の実施形態を示す要部拡大平面図である。
【符号の説明】
１，１’，11，111       蓋材
２                      開封手段
３                      開封停止手段
４                      密封予定部
21，22，23，31          切刃
50                      食品容器
51                      容器本体
52                      フランジ部
53                      摘まみ突片
54，54’                谷部
55，55’                底部
Ａ                      始点
Ｂ                      終点
Ｃ                      開口部
Ｄ                      導入部
Ｅ                      誘導部
【図１】
0004510204.tif 000002
【図２】
0004510204.tif 000003
【図３】
0004510204.tif 000004
【図４】
0004510204.tif 000005